(57)【要約】【課題】琥珀を用いる美容法を提供する。【解決手段】本発明の美容法は、琥珀玉を人体の適宜位置に当てる操作を含むことを特徴とする。また、琥珀玉を当てる操作は、人体の頭部へのマッサージ（ステップ３）を開始する時に行われ、琥珀玉を当てる位置は眉間であることを特徴とする。また、琥珀玉を当てる操作は、肩部から上のリンパ節のマッサージ（ステップ５）において行われ、琥珀玉は、複数のリンパ節を結ぶ経路に沿って当てる。【選択図】  図１
2004261206.tif 000002
【特許請求の範囲】
【請求項１】
琥珀玉を人体の適宜位置に当てる操作を含むことを特徴とする美容法。
【請求項２】
請求項１記載の美容法において、
前記琥珀玉を当てる操作は、前記人体の頭部へのマッサージを開始する時に行われ、前記琥珀玉を当てる位置は眉間である
ことを特徴とする美容法。
【請求項３】
請求項１記載の美容法において、
前記琥珀玉を当てる操作は、肩部から上のリンパ節のマッサージにおいて行われ、前記琥珀玉は、複数のリンパ節を結ぶ経路に沿って当てる
ことを特徴とする美容法。
【請求項４】
請求項１乃至３のいずれか記載の美容法において、
前記琥珀玉は、片手の平で包み込むことができる大きさの扁平な曲面体であり、前記操作において１個又は２個同時に使用される
ことを特徴とする美容法。
【請求項５】
琥珀粉末を含ませたタオル等の身の回り品を用いて人体への操作を行うことを特徴とする美容法。
【発明の詳細な説明】
【０００１】
【発明の属する技術分野】
本発明は、琥珀を用いて行う美容法に関する。
【０００２】
【従来の技術】
従来、肌や身体のプロポーションを美しくすることを目的として身体各部分を筋肉やリンパの流れに沿って圧刺激及び温刺激をするマッサージ美容法が行われている（例えば、特許文献１参照）。
【０００３】
【特許文献１】
特開２００２−１２６０２４号公報
【０００４】
【発明が解決しようとする課題】
しかしながら、特許文献１に開示されているマッサージは、施術者が被施術者の身体を直接指圧し又は濡れタオルを介して指圧するのみであり、被施術者に快感やリラックス感、爽快感等を与えるか否かは、施術者の技量に依存せざるを得ないものである。
【０００５】
本発明は、施術者の技量のみに依存せず、人体に心地よい快感、リラックス感等を与える効能をもつ物を用いることにより美容効果を一層発揮する美容法を提供することを目的とする。
【０００６】
【課題を解決するための手段】
本発明では、上記目的と達成するために用いる物として琥珀を採用した。
【０００７】
本発明の美容法は、琥珀玉を人体（例えば、後述の被施術者の身体）の適宜位置に当てる操作を含むことを特徴とする。
【０００８】
本発明の実施態様では、琥珀玉を当てる操作は、人体の頭部へのマッサージを開始する時に行われ、琥珀玉を当てる位置は眉間である。或いは、琥珀玉を当てる操作は、肩部から上（例えば、後述のデコルテ（胸の上部））のリンパ節のマッサージにおいて行われ、琥珀玉は、複数のリンパ節を結ぶ経路に沿って当てるようにする。
【０００９】
また、琥珀玉は、片手の平で包み込むことができる大きさの扁平な曲面体（例えば、楕円体）であり、操作において１個又は２個同時に使用されるものとする。
【００１０】
別態様の美容法では、琥珀粉末を含ませたタオル等の身の回り品を用いて人体への操作を行うものとする。
【００１１】
【作用及び効果】
本発明の美容法によれば、琥珀玉を被施術者の身体に当てることにより、施術者の技量だけでなく、琥珀の効能に基づくヒーリング効果（詳細は後述）等、被施術者にとって快い感覚や爽快感を、より的確に与えることができる。また、琥珀玉は、琥珀の有する電気的極性により、健康維持に寄与することにもなる。
【００１２】
本発明の実施態様では、琥珀玉を当てる操作は、人体の頭部へのマッサージを開始する時に行われ、琥珀玉を眉間に当てることにより、被施術者に琥珀特有のぬくもりによる安心感を与え、快適に眠りに誘うことができる。或いは、琥珀玉を当てる操作は、肩部から上のリンパ節のマッサージにおいて行われ、琥珀玉を複数のリンパ節を結ぶ経路に沿って当てることにより、リンパ節が刺激され、その機能向上を図ることができる。
【００１３】
また、片手の平で包み込むことができる大きさの扁平な曲面体形状の琥珀玉を用いると、その突部と平面部では人体に対する圧刺激が互いに異なる感覚を付与するので、そのような琥珀玉で感覚の異なる圧刺激が可能となる。
【００１４】
別態様の美容法では、琥珀粉末を含ませたタオル等の身の回り品を用いることにより、そのような身の回り品が人体に接したとき粉末状の琥珀が体に触れて、琥珀の効能が美容の効果をより高めることになる。
【００１５】
【発明の実施の形態】
本発明の実施例の琥珀を用いた美容法（以下「アンバーエステ」という。）について説明する。このアンバーエステは、身体であればどこにでも適用することが可能であるが、下記の実施例は、主に身体の上半身の顔、首、肩、及び胸上部に対して施術するものである。
【００１６】
図１は、アンバーエステの手順を説明するためのフローチャートである。
【００１７】
最初に、施術者はクレンジングを被施術者の顔及び首に対して行う（ステップ［以下「ＳＴ」］１）。クレンジングは、被施術者の顔や首についている化粧品を落とす目的でなされる。具体的には、市販のクレンジング剤をしみ込ませたコットンで被施術者の目及び口に付いている化粧品を落とし、綿棒で目元（睫毛を含む）に付着している可能性の高い化粧品（例えば、マスカラ、アイライン用化粧品）を入念に落とす。次に、クレンジング剤を首から額にかけて指でマッサージをしながらよくのばした後、水をしみ込ませた新たなウェットコットンでクレンジング剤を拭き取る。
【００１８】
次の段階（ＳＴ２の処理）では、施術者は被施術者の顔、首、肩及びデコルテ（胸の上部）に対してクレー洗浄を行う。クレー洗浄は、被施術者の顔や首等についている皮脂等の汚れを落とす目的でなされる。具体的には、「クレー」と称する本出願人の粘土を精製した製品を水に溶解し、予めホットキャビ等で温めておき、その温度を確認後、溶解したクレーを被施術者の肩、首、デコルテ（胸の上部）、及び顔に塗る。ここでの温度は３２℃〜３３℃である。この温度範囲よりも低く或いは高いと、被施術者への温刺激が強くなり、被施術者にとって快適ではなくなる。
【００１９】
その後、施術者はフリマトールブラシ（機械回転式ブラシ）を用いて、皮膚の洗浄を行い、その後被施術者の顔等に残っているクレーをスポンジを用いて除去する。
【００２０】
次の段階（ＳＴ３の処理）では、施術者は、被施術者の頭及び顔に対して「眠りのヘッドマッサージ」（施術）を行う。このマッサージでは、被施術者を眠りに誘う効果だけでなく、施術者は、琥珀玉（球体でもよいが、扁平な曲面体が好ましい）を用いて、被施術者の額に当該琥珀玉を押圧することで、後述のような種々の効果を得ることができる。琥珀玉については図３を参照して後述する。この眠りのヘッドマッサージ方法については、図２を参照して後述する。
【００２１】
次の段階（ＳＴ４の処理）では、施術者は、被施術者に「経絡マッサージ」を行う。具体的には、被施術者の頭にターバンを巻き、市販のマッサージオイルを被施術者の上半身（例えば、顔、首、肩、及び胸の上部（「デコルテ」と称される）に塗り残しがないように丁寧に塗る。そして、施術者は、自身の手のひら又は指を用いて、被施術者の上半身の経絡上に存在するツボ（経穴）をマッサージする。この経絡マッサージでは、前述の琥珀玉を用いず、施術者の手のひら又は指を用いて押圧又は指圧する。また、この経絡マッサージには、ターバンの上から頭にあるツボ（例えば、後述の百会や天柱など）を押圧や指圧することも含む。
【００２２】
次の段階（ＳＴ５の処理）では、施術者は「リンパマッサージ」を行う。具体的には、リンパ管（節）を琥珀玉で圧刺激する。このリンパマッサージの方法については、図４〜図７を参照して後述する。
【００２３】
次の段階（ＳＴ６の処理）では、施術者は「リフトケア」を行う。これは、顔の弛みを抑制するためのステップである。このリフトケアでは、本出願人の製品である琥珀粉末を含有した美容液を用いてマッサージを行う。リフトケアの具体的な方法については、図８を参照して後述する。
【００２４】
次の段階（ＳＴ７の処理）では、施術者はパックを行う。このパックの方法については、図９を参照して後述する。
【００２５】
次の段階（ＳＴ８の処理）では、施術者は「スキンアップ」を行う。その後、「目覚めのヘッドマッサージ」を行って（ＳＴ９）、アンバーエステを終了する。
【００２６】
スキンアップでは、本出願人の製品である琥珀を含有した化粧水を使用し、目覚めのヘッドマッサージでは、前述の琥珀玉を使用する。「スキンアップ」及び「目覚めのヘッドマッサージ」の具体的な方法については、それぞれ図１０及び図１１を参照して後述する。
【００２７】
図２は、「眠りのヘッドマッサージ」の手順を示す。
【００２８】
図２は、ターバンがはずされた被施術者１が、ベッドの上に顔２が横向けになっている状態を示す。施術者（図示せず）は、被施術者１の眉間に曲面体形状の琥珀玉をその長軸方向を被施術者１の鼻筋に沿うようにして下記琥珀玉の腹部Ｂ（図３）が当たるようにして置き、両手の人差し指、中指、及び薬指の三指で、琥珀玉を静かに揺らす。
【００２９】
この琥珀玉の形状は扁平な曲面体（例えば、楕円体）とし、例えば、図３のように長さ、幅、及び厚みがそれぞれ５０ｍｍ、３０ｍｍ、及び１０ｍｍの曲面体を採用する。図３において、Ａ，Ｂ，Ｃは各々琥珀玉の突起部、腹部、長辺部である。
【００３０】
次に施術者は、目の下、眉弓骨、こめかみ、額から頭頂部、眉頭から頭頂部、首の付け根付近等を指で押圧又は指圧を行う。
【００３１】
以上で「眠りのヘッドマッサージ」は終了する。
【００３２】
次に、図４〜図７を参照してリンパマッサージについて説明する。
【００３３】
図４は、リンパマッサージで用いられるリンパ節の名称を示す図である。図４には、被施術者１の首１４及び腋１６が示されている。また、顔２には額１５がある。腋１６にはリンパ節として腋窩２０があり、頤の裏の部分には頤下リンパ節（裏側）２１がある。また、耳下腺７には深耳下腺リンパ節２２があり、首１４には静脈角２３が、耳の横６ａには耳介前リンパ節２４がある。また、頬１７には頬リンパ節２５があり、顎の裏には顎下リンパ節（裏側）２６がある。
【００３４】
図５〜図７は、図１のＳＴ５（琥珀玉によるリンパマッサージ）の具体的方法を示す。尚、このリンパマッサージでは、前述した琥珀玉を施術者の両手のそれぞれに１個ずつ計２個用いて、マッサージを行う。
【００３５】
（Ｉ）  図５において、施術者は前述した琥珀玉の平らな面の（図３の腹部Ｂ）一方を手の平で包み、琥珀玉の平らな面の他方を、デコルテ１３の中央から腋１６にある腋窩２０まで押圧する。
【００３６】
（ＩＩ）  次に、施術者は琥珀玉の長辺部（図３の長辺部Ｃ）で、被施術者１の顎下リンパ節２６から顎の裏側を通って被施術者１の深耳下腺リンパ節２２、そこから顎の裏側及び首を通って被施術者１の静脈角２３まで押圧する。
【００３７】
（ＩＩＩ）  続いて、施術者は琥珀玉の長辺部（図３の長辺部Ｃ）で被施術者１の顎先３０から頬１７を通って耳介前リンパ節２４、並びにそこから深耳下腺リンパ節２２、顎、及び首１４を通って静脈角２３まで押圧する。
【００３８】
（ＩＶ）  図６において、施術者は琥珀玉の長辺部（図３の長辺部Ｃ）でこめかみ９から耳介前リンパ節２４、更に深耳下腺リンパ節２２から顎及び首１４を通って静脈角２３まで押圧する。
【００３９】
（Ｖ）  次に、施術者は琥珀玉の長辺部（図３の長辺部Ｃ）で頬リンパ節２５から口角を通って頤下リンパ節２１、更に顎を通って深耳下腺リンパ節２２から静脈角２３を押圧する。
【００４０】
（ＶＩ）  続いて、施術者は琥珀玉の長辺部（図３の長辺部Ｃ）で頬を内側から外側へ押圧し、深耳下腺リンパ節２２から顎下リンパ節２６及び頤下リンパ節２１を、並びに耳下腺リンパ節２２から顎及び首１４を通って静脈角２３を押圧する。
【００４１】
（ＶＩＩ）  図７において、施術者は琥珀玉の長辺部（図３の長辺部Ｃ）で額１５を内側から外側へ押圧し、目上及び目下の押圧は、琥珀玉突起部（図３の突起部Ａ）で行う。次に、施術者は琥珀玉の腹部（図３の腹部Ｂ）でこめかみ９を螺旋状に押圧して、琥珀玉長辺部（図３の長辺部Ｃ）で耳介前リンパ節２４及び深耳下腺リンパ節２２から顎と首１４を通って静脈角２３を押圧する。
【００４２】
（ＶＩＩＩ）  次に、施術者は琥珀玉腹部（図３の腹部Ｂ）でデコルテ１３の中央部から腋１６にある腋窩２０を押圧する。
【００４３】
次に、図８を参照してリフトケアについて説明する。
【００４４】
（Ｉ）及び（ＩＩ）は、被施術者１の顔２の弛みを引き上げ且つすり上げるマッサージの態様を示す図である。予め、被施術者１の顔２に琥珀パウダーを適量（例えば耳かき１杯程度）塗布し、その上から美容液（例えば、本出願人の製品）をのばす。
【００４５】
施術者は、目頭５ｆから額１５に向かって引き上げ（Ｉ−ｉ）、髪の生え際１２をすり上げる（ＩＩ−ｉ）。次に、眉上から額１５に向って引き上げ（Ｉ−ｉｉ）、髪の生え際１２をすり上げる（ＩＩ−ｉｉ）。施術者は、目尻５ｇから目頭５ｆ、瞼５ｈ、こめかみ９と引き上げ（Ｉ−ｉｉｉ）、こめかみ９と目尻５ｇをすり上げる（ＩＩ−ｉｉｉ）。施術者は、頬骨１７ａの下側を頬骨１７ａに沿って耳の横６ａまで引き上げ（Ｉ−ｉｖ）、耳の横６ａをすり上げる（ＩＩ−ｉｖ）。続いて、口角１８から耳の横６ａまで引き上げ（Ｉ−ｖ）、耳の横６ａをすり上げる（ＩＩ−ｖ）。そして、フェイスライン（顎の部分）から耳下腺７まで引き上げ（Ｉ−ｖｉ）、耳下腺７をすり上げる（ＩＩ−ｖｉ）。尚、リフトケアのマッサージにおいて、図９では被施術者１の顔２の一方（左側又は右側）のみを対象として図示しているが、被施術者１の顔２の両方（左側又は右側）を対象としてマッサージを行う。また、引き上げ（（Ｉ）参照）終了後に、すり上げる（（ＩＩ）参照）。
【００４６】
次に、図９を参照してパックについて説明する。
【００４７】
施術者は化粧水（例えば、本出願人の製品）で被施術者の顔に塗布する。そして、施術者は本出願人の製品アンダーマスククリームを顔全体に塗り、水に浸したアイパット及びリップパットをそれぞれ目と唇の上にのせる。
【００４８】
次に、施術者はプラスターマスク（本出願人の製品）をボールにあけ、水を注ぎながらスプーンでかき混ぜて、顔２にこの水で溶いたプラスターマスク（石膏状）を置いていく（図１０（Ｉ）参照）。置いていく順序は、図１０（Ｉ）に示したとおり、（ｉ）、（ｉｉ）、〜、（ｖｉ）となる。約５分後、図１０（ＩＩ）に示したように、置かれたプラスターマスク（石膏状）をスプーンの裏側でなで上げていき、約２０分後、施術者はプラスターマスクを指で回転させながらはずし、アイパット及びリップパットをはずす。その後、スパチュラで残っているクリームを取り、最後にウェットコットン及びホットタオルで被施術者１の顔２を拭く。
【００４９】
次に、図１０を参照してスキンアップについて説明する。
【００５０】
施術者は、琥珀を含有しているローション（本出願人の製品）入りの容器の中に、ＭＭ目元シート（成分としては、アルギン酸ナトリウム、カルボキシメチルセルロースナトリウム、植物性スクワラン、ビスコースレーヨン、ポリオキシプロピレンステアリルエーテル、及びオレイン酸ポリオキシエチレンソルビット（４０Ｅ．Ｏ．））を入れ、攪拌棒でかき混ぜながら溶かす。
【００５１】
施術者は、ＭＭ目元シートが溶解している化粧水を被施術者１の顔２及びデコルテ１３（首１４を含む）に刷毛で塗布し、図１０（Ｉ）に示している（ｉ）〜（ｉｘ）の番号の順番にマッサージを、ＭＭ目元シートが溶解している化粧水の残りを付けながら行う。（ｉ）〜（ｉｘ）の過程を数回繰り返した後、図１０（ＩＩ）に示してあるように、フェイスライン（顎の部分）を耳下腺７まで引き上げて、頭３と百会１０のプッシュを行う。その後、スポンジで顔２についている化粧水を拭き取り、ホットタオルで更に拭き取る。
【００５２】
その後、本出願人の製品である琥珀パウダー入り栄養クリームを、顔全体にのばす。
【００５３】
図１１は、「目覚めのヘッドマッサージ」を示す。
【００５４】
施術者は、ターバンの上から被施術者１の頭３を両手で指圧する（Ｉ参照）。ターバンをはずした後、琥珀玉長辺部（図３の長辺部Ｃ）で頭３全体を線に沿うように押圧し（ＩＩ参照）、次に施術者は被施術者１の頭３を両手で指圧し、百会１０および天柱１１ａをプッシュする（ＩＩＩ参照）。
【００５５】
図１２〜図１７は、本実施例のアンバーエステと従来のエステの施術後の効能比較結果（アンケートによる）を示す。いずれも、両方の施術効果を比較して、より効果が感じられた方に○をつけている。（差が無い場合は両方に○をつけている。また大きな差がある場合には◎をつけている。
【００５６】
図１３は、被施術者のヒーリング効果を示す図である。ヒーリング効果とは、被施術者の心地よい快感、精神安心感（所謂リラックス感）、気分爽快感などをもたらす効果である。
【００５７】
被験者（被施術者）は１６人であり、年令は２０歳代から６０歳代まで無作為に抽出している。アンバーエステに対して、被験者の２人が◎を付け、残りの１４人は○を付けた。琥珀を用いない従来のエステに対して、○を付けたのは１名であった。この結果、大多数の被験者は、アンバーエステが、従来のエステよりも心地よい快感を得ることができ、更に精神安心感（リラックス感）効果や気分爽快感効果も得ることができることがわかる。
【００５８】
図１３は、被施術者の施術後の肌状態を示す図であり、特に肌のしっとり感についてのアンケート結果を示す図である。
【００５９】
被験者は１６人であり、年令は２０歳代から６０歳代まで無作為に抽出している。被験者の１人がアンバーエステに対して◎を付け、１２人はアンバーエステに対してのみ○を付けており、被験者の３人はアンバーエステと琥珀を用いない従来のエステの両方に○を付けている。従って、肌のしっとり感については、アンバーエステが従来のエステと比べて優れていることがわかる。
【００６０】
図１４は、被施術者の施術後の肌状態を示す図であり、特に肌のつやについてのアンケート結果を示す図である。
【００６１】
被験者は１６人であり、年令は２０歳代から６０歳代まで無作為に抽出している。被験者の１人がアンバーエステと既存のエステに○を付けたが、残りの１５人はアンバーエステについてのみ○を付けている。従って、肌のつやについてもアンバーエステが琥珀を用いない従来のエステと比べて優れていることがわかる。
【００６２】
図１５は、被施術者の施術後の肌状態を示す図であり、肌のくすみ（目の下のクマも含める）についてのアンケート結果を示す図である。
【００６３】
被験者は１６人であり、年令は２０歳代から６０歳代まで無作為に抽出している。３人の被験者がアンバーエステに◎を付け、残りの１３人はアンバーエステに○を付けている。従って、肌のくすみについても、アンバーエステが従来のエステと比べて優れていることがわかる。
【００６４】
図１６は、被施術者の施術後の肌状態を示す図であり、特に肌のハリについてのアンケート結果を示す図である。
【００６５】
被験者は１６人であり、年令は２０歳代から６０歳代まで無作為に抽出している。１人が既存のエステに○としたが、残りの１５人はアンバーエステに○とした。従って、肌のハリについても、アンバーエステが従来のエステと比べて優れていることがわかる。
【００６６】
図１７は、被施術者の施術後の肌状態を示す図であり、特に肌荒れについてのアンケート結果を示す図である。
【００６７】
被験者は１６人であり、年令は２０歳代から６０歳代まで無作為に抽出している。１人がアンバーエステと従来のエステとに○としたが、３人はアンバーエステに◎を付け、１２人はアンバーエステにのみ○を付けた。従って、肌荒れについても、アンバーエステが従来のエステと比べて優れていることがわかる。
【００６８】
また、被施術者の顔の弛みによって頬肉等が垂れることを抑制するリフトケアを琥珀を用いて行うことで、琥珀を用いない従来のエステと比較して即効性（早く抑制する）効果と持続性（長期間抑制された状態が続く）効果が認められた。
【００６９】
本実施例では、被施術者の身体上部（例えば、頭、顔、首、肩、及びデコルテ等）を対象範囲にアンバーエステを行ったが、これに限らない。例えば、腹部や背中、或いは足等をアンバーエステの対象範囲にしてもよい。その際、前述した効果はその対象範囲に顕著に表れる。
【００７０】
また、本実施例では、ツボとして経絡にある経穴（正穴）のみを指圧又は押圧するとしたが、これに限らない。例えば、要穴といわれる内臓の機能改善に寄与するツボを指圧又は押圧して美容を行ってもよいし、更にはアロマセラピー（例えば、エッセンシャルオイルを水に数滴たらしたものをバーナー等で焚いて被施術者に香りを吸引させる芳香療法）を取り入れて適宜マッサージと組み合わせてもよい。
【００７１】
また、本実施例では、施術者は琥珀玉で被施術者の身体を直接押圧するとしたが、これに限らない。例えば、琥珀玉に替えて、琥珀粉末を介在させて被施術者の身体を押圧するようにしてもよい。
【００７２】
また、琥珀粉末を被施術者が身に付ける衣類その他の身の回り品（例えば、ケープ、ターバン、タオル、マット、上掛け布団等）に含ませておくことにより、被施術者は、美容法を受けるとき使用される身の回り品から琥珀と接することになるので、琥珀を用いたことによる効果が得られる。例えば、琥珀粉末を含ませたターバンやフェイスタオルを介在させて、被施術者に対し指圧することで、前述した効果が得られる。
【図面の簡単な説明】
【図１】アンバーエステのフローチャート。
【図２】「眠りのヘッドマッサージ」手順を示す図。
【図３】琥珀玉の概要を示す図。
【図４】リンパマッサージで使用されるリンパ節の名称を示す図。
【図５】「琥珀玉によるリンパマッサージ」を示す図。
【図６】図５に続く「琥珀玉によるリンパマッサージ」を示す図。
【図７】図６に続く「琥珀玉によるリンパマッサージ」を示す図。
【図８】「リフトケア」を示す図。
【図９】「パック」を示す図。
【図１０】「スキンアップ」を示す図。
【図１１】「目覚めのヘッドマッサージ」を示す図。
【図１２】ヒーリング効果のアンケート結果を示す図。
【図１３】肌のしっとり感のアンケート結果を示す図。
【図１４】肌のつやのアンケート結果を示す図。
【図１５】肌のくすみのアンケート結果を示す図。
【図１６】肌のハリのアンケート結果を示す図。
【図１７】肌荒れのアンケート結果を示す図。
【符号の説明】
１…被施術者、２…顔、３…頭、４…琥珀玉、５…目、６…耳、６ａ…耳の横、７…耳下腺、８…眉弓骨、９…こめかみ、１０…百会、１１…首の後、１１ａ…天柱、１２…髪の生え際、１３…デコルテ、１４…首、１５…額、１６…腋、１７…頬、１７ａ…頬骨、１８…口角、２０…腋窩、２１…頤下リンパ節、２２…深耳下腺リンパ節、２３…静脈角、２４…耳介前リンパ節、２５…頬リンパ節、２６…顎下リンパ節、３０…顎先。
【図１】
2004261206.tif 000003
【図２】
2004261206.tif 000004
【図３】
2004261206.tif 000005
【図４】
2004261206.tif 000006
【図５】
2004261206.tif 000007
【図６】
2004261206.tif 000008
【図７】
2004261206.tif 000009
【図８】
2004261206.tif 000010
【図９】
2004261206.tif 000011
【図１０】
2004261206.tif 000012
【図１１】
2004261206.tif 000013
【図１２】
2004261206.tif 000014
【図１３】
2004261206.tif 000015
【図１４】
2004261206.tif 000016
【図１５】
2004261206.tif 000017
【図１６】
2004261206.tif 000018
【図１７】
2004261206.tif 000019